【事件の表示】
　特許第２７８９８６８号「ＬＥＤ表示装置」の請求項１ないし６に係る特許に対する特許異議の申立てについて、次のとおり決定する。
【結　論】
　訂正を認める。
　特許第２７８９８６８号の請求項１ないし５に係る特許を維持する。
【理　由】
１．手続きの経緯
　特許第２７８９８６８号の請求項１乃至６に係る発明は、平成３年７月１６日に出願され、平成１０年６月１２日に設定登録され、その後、その特許について異議申立人宮川清三郎より特許異議の申立てがなされ、取消理由通知がなされ、その指定期間内である平成１１年９月６日に訂正請求がなされた後、上記請求に対する訂正拒絶理由通知がなされ、指定期間内である平成１２年１月３１日に訂正の補正がなされた後、２度目の訂正拒絶理由通知がなされ、指定期間内である平成１２年４月２５日に訂正の補正がなされたものである。
　
２．訂正の適否についての判断
ア．訂正請求に対する補正の適否について　
ｉ）平成１２年４月２５日付け手続補正について
　上記訂正の補正により特許権者が求めている訂正の補正の内容は以下のとおりである。
ａ．請求項１の「前記ＬＥＤ表示素子の各々で表示されるテストパターンの表示パターンを規定するデータを作成するテストデータ作成部と、前記表示パターンの表示色を規定するデータを作成する着色部とを備え、」の記載を「複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、」と補正する。
ｂ．請求項１の「前記テストデータ作成部が」の記載を「前記テストデータ作成部は一定時間毎に前記テストデータ記憶部の内容を書き換え、前記着色部は前記一定時間の間に複数の表示色データを変化させることにより、前記テストデータ作成部が」と補正する。
ｃ．請求項１の「前記データに基づいてＬＥＤ表示素子の各々で表示されるテストパターンの表示パターンが変更され、前記着色部が作成する前記データに基づいて前記テストパターンの表示色が変更される」の記載を「前記テストデータに基づいて前記ＬＥＤ表示素子で表示されるテストパターンの表示パターンが変更され、前記着色部が作成する前記表示色データに基づいて前記テストパターンの表示色が変更される」と補正する。
ｄ．請求項２を削除する。
ｅ．訂正前の請求項３を請求項２とし、訂正後の請求項２の記載「前記テストデータ作成部が、キー操作によって選択された表示パターンを規定する前記データを作成し、前記着色部が、キー操作によって選択された表示色を規定する前記データを作成することを特徴とする請求項１に記載のＬＥＤ表示装置。」を「複数個のＬＥＤを選択的に発光させて数字、文字、図形等の表示パターンを複数の色で表示できるＬＥＤ表示素子をＬＥＤ表示部に多数個配列させたＬＥＤ表示装置において、
　前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部がキー操作によって選択された前記表示パターンを規定する前記テストデータを作成し、前記着色部が、前記キー操作のキーとは異なるキーの操作によって選択された表示色を規定する前記表示色データを作成し、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更されることを特徴とするＬＥＤ表示装置。」と補正する。
ｆ．訂正前の請求項４を新たな請求項３とし、訂正後の請求項３の記載を「前記テストデータ作成部が、ＬＥＤ表示部の１列のＬＥＤ表示素子だけに表示パターンが現れるように前記テストデータを作成することを特徴とする請求項１または２に記載のＬＥＤ表示装置。」と補正する。
ｇ．訂正前の請求項５を新たな請求項４とし、訂正後の請求項４の記載を「前記テストデータ作成部が、ＬＥＤ表示部の１個のＬＥＤ表示素子だけに表示パターンが現れるように前記テストデータを作成することを特徴とする請求項１または２に記載のＬＥＤ表示装置。」と補正する。
ｈ．訂正前の請求項６を新たな請求項５とし、訂正後の請求項５の記載を「ＬＥＤ表示部によって株価情報を表示することを特徴とする請求項１乃至４のいずれかに記載のＬＥＤ表示装置。」と補正する。
ｉ．明細書【０００６】の「ＬＥＤ表示素子の各々で表示されるテストパターンの表示パターンを規定するデータを作成するテストデータ作成部と、この表示パターンの表示色を規定するデータを作成する着色部とを設け、テストデータ作成部が作成するデータに基づいてＬＥＤ表示素子の各々で表示されるテストパターンの表示パターンが変更され、着色部が作成するデータに基づいてこのテストパターンの表示色が変更されるように構成している。また、テストデータ作成部は、予め定められた時間間隔に従って表示パターンを変更するようにデータを作成し、着色部は、予め定められた時間間隔に従って表示色を変更するようにデータを作成する。また、テストデータ作成部は、キー操作によって選択された表示パターンを規定するデータを作成し、着色部は、キー操作によって選択された表示色を規定するデータを作成する。また、テストデータ作成部は、ＬＥＤ表示部の１列のＬＥＤ表示素子だけに表示パターンが現れるように、あるいは、ＬＥＤ表示部の１個のＬＥＤ表示素子だけに表示パターンが現れるように、データを作成する。」の記載を「前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部は一定時間毎に前記テストデータ記憶部の内容を書き換え、前記着色部は前記一定時間の間に複数の表示色データを変化させることにより、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更される。
　また複数個のＬＥＤを選択的に発光させて数字、文字、図形等の表示パターンを複数の色で表示できるＬＥＤ表示素子をＬＥＤ表示部に多数個配列させたＬＥＤ表示装置において、
　前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部がキー操作によって選択された前記表示パターンを規定する前記テストデータを作成し、前記着色部が前記キー操作のキーとは異なるキーの操作によって選択された表示色を規定する前記表示色データを作成し、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更される。
　また前記テストデータ作成部が、ＬＥＤ表示部の１列のＬＥＤ表示素子だけに表示パターンが現れるように前記テストデータを作成する。
　また前記テストデータ作成部が、ＬＥＤ表示部の１個のＬＥＤ表示素子だけに表示パターンが現れるように前記テストデータを作成する。」と補正する。
　
　上記ａに関する記載として本件特許明細書には「図１に示すように、相場報道システムの中央処理装置から送られてくる情報を受信・編集処理したりテストデータを作成するＴＣ（ターミナル・コントロール）ブロック１と、このＴＣブロック１で編集されたデータを表示する表示ブロック２で構成されている。」【０００９】、「表示ブロック２の表示データ受信部２１において受信されたデータのうち、株価データは表示データ記憶部２２に、表示色データは表示制御データ記憶部２３にそれぞれ蓄積される。表示データ記憶部２２は、ＬＥＤ表示部２５の表示素子と１対１に対応した領域から構成されている。表示制御部２４は表示データ記憶部２２と表示制御データ記憶部２３に蓄積された各データに基づいてＬＥＤ表示部２５を指定された数字および表示色に点灯させる。」【００１６】、「一方、テストパターン表示を要求するキー入力がキー操作部１６から行なわれると、キー入力受付処理部１７は、テストデータ作成部１４にテストパターンを作成する命令を出すとともに切換スイッチ１３を切り換える。テストデータ記憶部１５は、表示データ記憶部２２と同じ形をしている。」【００１７】、「テストデータ作成部１４は、このテストデータ記憶部１５のすべての領域にまず「０」をセットする。表示データ送信部１９は、テストデータ記憶部１５に蓄積されたテストデータを１銘柄分ずつ読み込み、着色部１８において赤色の表示を行なうように表示色データを付け加えて送信する。」【００１８】の記載がある。
　したがって、上記ａの補正は特許明細書に記載した事項の範囲内で、テストデータ作成部及び着色部を含むターミナルコントロールブロックの構成を、実施例に記載された内容となるよう、具体的に限定したものといえるから、特許請求の範囲の減縮に該当するものであって、新規事項の追加に該当せず、また、実質上特許請求の範囲を拡張し、または変更するものではなく、また、訂正請求書の要旨を変更するものではない。
　上記ｂに関する記載として「テストデータ作成部１４は、一定時間毎にテストデータ記憶部１５の内容を書き換える。また、着色部１８は、一定時間毎にテストデータに付加する表示色データを変化させる。一例として、ここではテストデータ作成部１４における周期を３秒、着色部１８における周期を１秒として説明する。」の記載がある。
　したがって、上記ｂの補正は特許明細書に記載した事項の範囲内で、テストデータ作成部及び着色部の機能を、実施例に記載された内容となるよう、具体的に限定したものといえるから、特許請求の範囲の減縮に該当するものであって、新規事項の追加に該当せず、また、実質上特許請求の範囲を拡張し、または変更するものではなく、また、訂正請求書の要旨を変更するものではない。
　上記ｃの補正はテストデータ作成部が出力するデータはテストデータであり、着色部が出力するデータは表示色データであることを、上記明細書の【００２０】等の記載に基づき明瞭にしたものであるから、特許明細書に記載した事項の範囲内で、出力されるデータを明瞭にしたものであり、明瞭でない記載の釈明に該当するものであって、新規事項の追加に該当せず、また、実質上特許請求の範囲を拡張し、または変更するものではなく、また、訂正請求書の要旨を変更するものではない。
　上記ｄの補正は特許請求の範囲に記載された請求項の削除であり、特許請求の範囲の減縮に該当するものであり、新規事項の追加に該当せず、また、実質上特許請求の範囲を拡張し、または変更するものではなく、また、訂正請求書の要旨を変更するものではない。
　上記ｅの補正のうち、「複数個のＬＥＤを選択的に発光させて数字、文字、図形等の表示パターンを複数の色で表示できるＬＥＤ表示素子をＬＥＤ表示部に多数個配列させたＬＥＤ表示装置において、
　前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、」及び「作成する前記テストデータに基づいてＬＥＤ表示素子で表示されるテストパターンの表示パターンが変更され、前記着色部が作成する前記表示色データに基づいて前記テストパターンの表示色が変更されることを特徴とするＬＥＤ表示装置。」に補正することは補正前の請求項１を引用する形式で補正前の請求項３が記載されていたものを、上記引用する構成を上記２．ア．i)．ａ及びｃと同様の補正をして補正後の請求項２の構成として記載するものであるから、上記２．ア．i)．ａ及びｃの補正について判断したとおりである。
　上記ｅの補正は該補正に加えて、補正前の請求項３に記載された「テストデータ作成部が、キー操作によって選択された表示パターンを規定する前記データを作成し、前記着色部が、キー操作によって選択された表示色を規定する前記データを作成」の記載を「テストデータ作成部がキー操作によって選択された前記表示パターンを規定する前記テストデータを作成し、前記着色部が、前記キー操作のキーとは異なるキーの操作によって選択された表示色を規定する前記表示色データを作成」と補正するものである。
　上記更に付加された補正について、本件特許明細書には『テストパターン表示中にキー操作部１６の「下矢印キー」が押されると、キー入力受付処理部１７は、着色部１８に表示色を順方向に変える命令を出す。すると、着色部１８は、付加する表示色データを赤色→緑色→橙色→赤色の順に一つ変化させる。逆に、「上矢印キー」が押されると、キー入力受付処理部１７は、表示データ送信部１９に表示色を逆方向に変える命令を出す。すると、着色部１８は、付加する表示色データを赤色→橙色→緑色→赤色の順に一つ変化させる。このようにキー操作部１６の「上矢印キー」または「下矢印キー」を押すことによりテストパターン表示の色を自由に変化させることができる。』【００２８】、『また、テストパターン表示中にキー操作部１６の「数字キー」が押されると、キー入力受付処理部１７は、テストデータ作成部１４に対して表示する数字を押さえた数字に変える命令を出す。すると、テストデータ作成部１４は点灯している列のＬＥＤ表示素子に対応したテストデータ記憶部１５の領域のデータを押さえた数字に変える。このように、キー操作部１６の「数字キー」を押すことにより、図４（ｃ）に示すように点灯する列の表示を自由に変えることができる。』【００３１】の記載がある。
　したがって、上記更に付加された補正は、特許明細書に記載した事項の範囲内で、テストデータ作成部及び着色部の機能を、実施例に記載された内容となるよう、具体的に限定したものといえる。
　よって、上記ｅの補正は特許請求の範囲の減縮及び明瞭でない記載の釈明に該当するものであって、新規事項の追加に該当せず、また、実質上特許請求の範囲を拡張し、または変更するものではなく、また、訂正請求書の要旨を変更するものではない。
　上記ｆ及びｇの補正は請求項２の削除により、請求項が連番になるように、また、引用する請求項の番号が請求項２の削除に対応するように補正すると共に、テストデータ作成部が出力するデータはテストデータであることを、上記明細書の【００２０】等の記載に基づき明瞭にしたものであるから、明瞭でない記載の釈明に該当するものであって、新規事項の追加に該当せず、また、実質上特許請求の範囲を拡張し、または変更するものではなく、また、訂正請求書の要旨を変更するものではない。
　上記ｈの補正は請求項２の削除により、請求項が連番になるように、また、引用する請求項の番号が請求項２の削除に対応するように補正するものであるから、明瞭でない記載の釈明に該当するものであって、新規事項の追加に該当せず、また、実質上特許請求の範囲を拡張し、または変更するものではなく、また、訂正請求書の要旨を変更するものではない。
　上記ｉの補正は特許請求の範囲を補正したことに伴い、対応する発明の詳細な説明の記載を、特許請求の範囲の記載と同じになるように補正するものであるから、明瞭でない記載の釈明に該当するものであって、新規事項の追加に該当せず、また、実質上特許請求の範囲を拡張し、または変更するものではなく、また、訂正請求書の要旨を変更するものではない。
　
　よって、上記ａ乃至ｉの補正は特許法第１２０条の４第３項において準用する同法第１３１条第２項の規定に適合する。
　
ii)平成１２年１月３１日付け手続補正について
　平成１２年１月３１日付け手続補正書にて補正された個所は、上記平成１２年４月２５日付け手続補正書により全て補正されたから、平成１２年１月３１日付け手続補正について判断する必要はなくなった。
　
イ．訂正の概要及び、その適否の判断
　上記補正されたものを除く、特許権者が求める訂正の内容は以下のとおりである。
ａ．請求項１の「ＬＥＤ表示装置において」の記載を、「ＬＥＤ表示装置において、前記ＬＥＤの表示素子が複数のセグメントよりなり、各セグメントが異なる色を発光する複数のＬＥＤを有し」と訂正する。
　上記ａに関する記載として本件特許明細書には「図２に外観を示すように、１桁の数字を表示するＬＥＤ表示素子３の７つのセグメント６の中には、赤色ＬＥＤ４と緑色ＬＥＤ５が設けられている。赤色ＬＥＤ４のみを発光させると赤色表示となり、緑色ＬＥＤ５のみを発光させると緑色表示となり、両方のＬＥＤを発光させると橙色表示となる。」【００１４】の記載がある。
　したがって、上記ａの訂正は特許明細書に記載した事項の範囲内で、表示素子の構成を、実施例に記載された内容となるよう、具体的に限定したものといえるから、特許請求の範囲の減縮に該当するものであって、新規事項の追加に該当せず、また、実質上特許請求の範囲を拡張し、または変更するものではない。
　
ウ．独立特許要件の判断
ａ．本件発明
　以上のとおりであるから、上記２回の補正により補正された訂正明細書の請求項１乃至５に係る発明（以下、それぞれ、本件発明１乃至５という）は、その特許請求の範囲の請求項１乃至５に記載された下記のとおりのものである。
　　　　記　
【請求項１】複数個のＬＥＤを選択的に発光させて数字、文字、図形等の表示パターンを複数の色で表示できるＬＥＤ表示素子をＬＥＤ表示部に多数個配列させたＬＥＤ表示装置において、
　前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部は一定時間毎に前記テストデータ記憶部の内容を書き換え、前記着色部は前記一定時間の間に複数の表示色データを変化させることにより、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更されることを特徴とするＬＥＤ表示装置。
【請求項２】複数個のＬＥＤを選択的に発光させて数字、文字、図形等の表示パターンを複数の色で表示できるＬＥＤ表示素子をＬＥＤ表示部に多数個配列させたＬＥＤ表示装置において、
　前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部がキー操作によって選択された前記表示パターンを規定する前記テストデータを作成し、前記着色部が前記キー操作のキーとは異なるキーの操作によって選択された表示色を規定する前記表示色データを作成し、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更されることを特徴とするＬＥＤ表示装置。
【請求項３】前記テストデータ作成部が、ＬＥＤ表示部の１列のＬＥＤ表示素子だけに表示パターンが現れるように前記テストデータを作成することを特徴とする請求項１または２に記載のＬＥＤ表示装置。
【請求項４】前記テストデータ作成部が、ＬＥＤ表示部の１個のＬＥＤ表示素子だけに表示パターンが現れるように前記テストデータを作成することを特徴とする請求項１または２に記載のＬＥＤ表示装置。
【請求項５】ＬＥＤ表示部によって株価情報を表示することを特徴とする請求項１乃至４のいずれかに記載のＬＥＤ表示装置。
　
ｂ．当審が通知した取消理由、並びに訂正拒絶理由の概要
　当審が、本件発明に対し、特許を受けることができないとして通知した取消理由及び訂正拒絶理由の概要は以下のとおりである。
　
i)特許法第３６条第５項について
　平成１２年１月３１日付けでなされた訂正の補正により補正された請求項１の記載には、明瞭でない記載があり、特許法第３６条第５項の規定を満たしていない。
ii)特許法第２９条第２項について
　本件請求項に係る発明は本件出願前公知の下記の刊行物１乃至５の記載に基づき当業者が容易に発明をすることができたものであるから、特許法第２９条第２項の規定に基づき特許を受けることができない。
記
刊行物１：特開昭５９−　１７５７８号公報
刊行物２：特公昭５８−　５３３４１号公報
刊行物３：特開昭５８−１６０９８６号公報
刊行物４：特開昭６３−２８４５９８号公報
刊行物５：実願昭６１−３１３９８号（実開昭６２−１４３９９３号公報）のマイクロフィルム
　
ｃ．上記取消理由、並びに訂正拒絶理由についての判断
i)特許法第３６条第５項について
　上記記載不備は平成１２年４月２５日付け手続補正にて解消した。
　
ii)特許法第２９条第２項について
（引用刊行物の記載事項）
　上記刊行物１乃至５には下記のとおりの記載がある。
　　　　記　　
刊行物１：特開昭５９−　１７５７８号公報
「本発明は、多数の発光ダイオード（以下ＬＥＤと略称する）がマトリクス上に同一ベース状に配設されると共に、マトリクス状配線の各交叉部に接続されてなるＬＥＤマトリクス表示器を半製品状態の段階で試験するためのＬＥＤマトリクス用試験装置に関する。」（公報２頁左上欄５−１０行）
「第１図において、１は供給ＬＥＤマトリクス表示器であり、これはたとえば前述したように４０mm×４０mmのベース上に２．５４mmピッチで３２行×６４列のマトリクス状に２０４８個のＬＥＤペレットが配設されると共に、３２本の行配線と６４本の列配線との各交叉部にＬＥＤが接続されたもの」（公報３頁右上欄４−１０行）
「一方、第２図は試験装置の主要部を示すもので、２０は前記リレー接点ｙ１〜ｙ３２をそれぞれ駆動するための行方向リレー駆動回路、２１ａは前記リレー接点ｘ１ａ〜ｘ６４ａをそれぞれ駆動するための第１の行方向リレー駆動回路、２１ｂは前記リレー接点ｘ１ｂ〜ｘ６４ｂをそれぞれ駆動するための第２の列方向リレー駆動回路である。上記行方向リレー駆動回路２０および第１の列方向リレー駆動回路２１ａは、それぞれ同時全点灯指令信号が入力したときにそれぞれ前記リレー接点ｙ１〜ｙ３２およびｘ１ａ〜ｘ６４ａを全てオン状態に駆動する。これによって、表示器１の全ＬＥＤに測定電源１０から抵抗Ｒを通じて点灯駆動電圧が供給されるようになる。また、行方向リレー駆動回路２０は、行方向シーケンス制御回路２２からシーケンス制御信号Ｙｊが供給されたときに前記リレー接点ｙ１〜ｙ３２を走査的に一定時間づつオン状態に駆動し、第２の列方向リレー駆動回路２１ｂは列方向シーケンス制御回路からシーケンス制御信号Ｘｉが供給されたときに前記リレー接点ｘ１ｂ〜ｘ６４ｂを走査的に一定時間づつオン状態に駆動する。これによって、表示器１の各ＬＥＤに一定時間づつ走査的に点灯駆動電流が供給されるようになる。」（公報３頁左下欄４行−右下欄８行）
「次に、上記構成による試験装置の動作について、たとえば第５図に示すような試験手順にしたがって説明する。先ず、第１ステップＳ１では全点灯チェック（視覚測定）を行なう」（公報４頁右上欄１３−１６行）
「なお、前記ＬＥＤマトリクス表示器１のＬＥＤ発光色が、たとえば奇数列は赤、偶数列は緑であるとすれば、全ＬＥＤを同時点灯させたとき、オペレータには赤色と緑色との中間の黄色として目に映る。
　上述したような試験装置によれば、ＬＥＤマトリクス表示器の各ＬＥＤを選択するためのリレー接点をリレー駆動回路により駆動するとき、全てのＬＥＤを同時に選択し、あるいは指定される一部のＬＥＤを同時に選択し、あるいは各ＬＥＤを１個づつ走査的に選択して測定電源に接続させるような制御を可能としておき」（公報４頁右下欄１０行−５頁左上欄１行）
刊行物２：特公昭５８−５３３４１号公報
「本発明は・・多数のランプを実装した表示装置ランプのテスト方式に関するものである」（公報第１欄２９−３１行）
「しかしながら、上述したランプテスト方式ではテストの対象となるランプが同時に点灯するために、ランプの数が多くなるとそれに比例してランプを点灯するための電源容量が増大する。
　このような問題を解決しようとしたものとしては、テストの対象となっているランプを複数ブロックに分け、各ブロックごとにランプテストを行うものである。
　しかしながら、上記ランプテスト方式は、確かに電源容量は小さくても良くなるが、各ブロック毎にランプテストスイッチを必要とするとともに、ハード構成も複雑となってしまう欠点を有している。
　このような問題を解決するものとしては、ソフトウェアによって各ブロック単位に一定周期で点灯制御するものが提案されている。
　しかしながら、上記ランプテスト方式では各ブロック単位のランプは、予めソフトによって設定された周期で順次点灯制御されるために、ランプの点灯を確認するための確認時間が自由に設定することができない。従って確認できないまま次のランプブロックに対する確認動作に移行してしまうことがある。」（公報第２欄３−２５行）
　「次にオペレータが表示装置１の一部に設けられているノンロック構成のランプテストスイッチ２を一瞬操作すると、該ランプテストスイッチ２から第３図ａにＰ１で示すパルスが出力される。このランプテストスイッチ２の出力は、第２インターフェース４ｄを介してマイクロプロセッサ４ａに取り込まれる。マイクロプロセッサ４ａはメモリ４ｂに格納されているテストプログラムに従って処理を行なう。つまり、テストフラグが”０”（この場合にはイニシアルクリアされて”０”となっている）の場合には、ブロックカウンタが指定するブロック、つまり第１ブロックであるブロック１ａを第１インターフェース４ａを介してランプドライバ５に供給する。ランプドライバ５は、指定されたブロック１ａのランプを点灯状態に制御する。従って、オペレータはブロック１ａの各ランプに対する点灯状態を確認する。
　一方、中央処理装置４ａは、ブロックカウンタによる指定ブロックのランプ点灯制御を行なった後、テストフラグの内容を反転（この場合には”０”→”１”）して次のランプテストスイッチの出力が発生されるまで待機状態となっている。
　次に、オペレータがブロック１ａに対する確認動作が終了したならば、再びランプテストスイッチ２を操作して第３図ａにＰ２で示すパルス出力を送出させる。マイクロプロセッサ４ａはランプテストスイッチ２から信号が供給されるとテストフラグの内容によって判断を行なう、この場合、テストフラグは先に反転されて”１”となっているために、ブロックカウンタによって指定されたブロック、つまりブロック１ａを消灯制御した時にブロックカウンタに１加算してブロックカウンタの内容を２に設定する。」（公報３欄３７行−４欄２５行）
刊行物３：特開昭５８−１６０９８６号公報
「表示画面と相対位置関係を持ち文字図形情報を記憶するパターンメモリ回路（以下パターンＲＡＭと称する）１１，文字図形の色情報を記憶するカラーメモリ回路（以下カラーＲＡＭと称する）１２，・・パターン情報とカラー情報を合成して画像信号を発生するカラーマトリクス１５から構成される」（公報２頁左上欄１３行−右上欄２行）
刊行物４：特開昭６３−２８４５９８号公報
「近年、保守が容易なことから、発光ダイオードを用いた情報表示装置が各所に用いられている。この表示装置において表示に変化をもたせるには、発光色の異なる発光ダイオードをひとまとめにして１表示ドットとし、その表示ドットを複数配設して表示面を形成している。そして、この表示装置に情報を表示するには表示内容に対応した位置の表示ドットを選択し、さらに表示ドット内の発光色を選択するようにしている。
　第３図に表示ドットの例を示す。同図においては表示ドットＤは赤色発光ダイオードD1と黄色発光ダイオードD2で構成されている。情報表示装置においては、このような表示ドットが縦横にマトリクス状に配設されている。ここで、表示ドットＤの赤色発光ダイオードD1と黄色発光ダイオードD2に同時に電流が流れると、赤色と黄色が同時に発光し、遠くから見た場合赤色と黄色が混合され、橙色に見える。」（公報２頁左上欄１３行−右上欄１０行）
刊行物５：実願昭６１−３１３９８号（実開昭６２−１４３９９３号公報）のマイクロフィルム
　「第１図〜第３図は本考案の一実施例を示すもので、発光素子1Aと受光素子1Bを有する表示要素１（第２図）をｍ列ｎ行のマトリックス状に配置して表示面を形成し、ライトペン２等で書き込みを行った時に感知・駆動回路３で検知し、そのドット部分の発光素子1Aを発光させるようにしている。」（明細書３頁４−１０行）
　「表示要素１は、第５図に示すように発光素子を複数個、例えば発光色が赤色、緑色、橙色の３個の発光素子1A1、1A2、1A3と１個の受光素子1Bを有する構成としてもよい。」（明細書４頁５−９行）
（対比・判断）
（その１．本件発明１について）
　本件発明１と上記刊行物１乃至５に記載された発明とを対比すると、上記刊行物１乃至５には本件発明１を特定する事項である「テストデータ作成部は一定時間毎に前記テストデータ記憶部の内容を書き換え、前記着色部は前記一定時間の間に複数の表示色データを変化させる」（以下、相違点１という）の記載がない。
　詳述すると、上記刊行物１には、複数個のＬＥＤ（複数の発光色を持つＬＥＤを組み合わせたものでもよい）を選択的に発光させて表示を行う装置において、前記ＬＥＤの表示素子の各々が正常に動作するかをチェックするために、該ＬＥＤに対し走査的に一定時間づつオン状態になるよう駆動するパターンデータを送出する手段の記載、および、複数の発光色のＬＥＤを用いることにより中間色の発光ができることの記載はあるが、テストデータと表示色データを本件発明１のように関連させて発生する点について具体的な記載はない。
　また、他の引用刊行物にも上記相違点１に相当する構成は記載されていない。
　そして、本件発明１は上記相違点１の構成を有することにより、特許明細書に記載された「表示する数字と表示する色を連続的に変えながらＬＥＤ表示部全体の表示素子を点灯させて表示テストを行なうことができ、不良を効率的に発見することができる」という予測し得ない効果を奏するものである。
　したがって、本件発明１が、上記刊行物１乃至５の記載から容易に発明をすることができたものであるとはいえない。
（その２．本件発明２について）　
　本件発明２と上記刊行物１乃至５に記載された発明とを対比すると、上記刊行物１乃至５には本件発明２を特定する事項である「前記テストデータ作成部がキー操作によって選択された前記表示パターンを規定する前記テストデータを作成し、前記着色部が前記キー操作のキーとは異なるキーの操作によって選択された表示色を規定する前記表示色データを作成」（以下、相違点２という）の記載がない。
　詳述すると、上記刊行物１には、複数個のＬＥＤ（複数の発光色を持つＬＥＤを組み合わせたものでもよい）を選択的に発光させて表示を行う装置において、前記ＬＥＤの表示素子の各々が正常に動作するかをチェックするために、該ＬＥＤに対し走査的に一定時間づつオン状態になるよう駆動するパターンデータを送出する手段の記載、および、複数の発光色のＬＥＤを用いることにより中間色の発光ができることの記載はあるが、テストデータと表示色データを本件発明２のように関連させて発生する点について具体的な記載はない。
　また、上記刊行物２にはランプテストスイッチを操作することにより、表示のためのランプの点灯位置が順次移動することは記載されているが、上記スイッチによって、テストデータ及び表示色データをどのような態様で変化させるのか具体的な記載はない。
　そして、他の引用刊行物にも上記相違点２に相当する構成は記載されていない。
　そして、本件発明２は上記相違点２の構成を有することにより、特許明細書に記載された「キー操作によってテスト表示の色、点灯する場所、表示内容を自由に変えながら、表示部の１素子だけを点灯させるテストを行なうことができ、特定のＬＥＤ表示素子に関する素子の不良と配線の不良をきめ細かく検査することができる」という予測し得ない効果を奏するものである。
　したがって、本件発明２が、上記刊行物１乃至５の記載から容易に発明をすることができたものであるとはいえない。
　本件発明３乃至５は、上記本件発明１または２の構成を引用して、さらに限定した構成を含むものであるから、上記本件発明１または２について判断したとおりであり、上記刊行物１乃至５の記載から容易に発明をすることができたものであるとはいえない。
　
　よって、本件発明１乃至５は、当審が通知した取消理由及び訂正拒絶理由をすべて解消しているから、特許出願の際独立して特許を受けることができるものである。
　
ｄ．むすび
　以上のとおりであるから、上記訂正は、特許法第１２０条の４第２項および同条第３項で準用する第１２６条第２項から４項までの規定に適合するので、当該訂正を認める。
　
３．特許異議の申立てについて
ア．申立の概要
　特許異議申立人宮川清三郎は、特許異議申立時に証拠として甲第１号証（当審が取消理由通知書で引用した上記刊行物１とその内容は同じである）、及び甲第２号証を提出し、請求項１乃至６に係る発明は、甲第１及び２号証の記載に基づき当業者が容易に発明をすることができたものであるから、特許法第２９条第２項の規定に該当し、上記請求項１乃至６に係る発明の特許は、特許法第１１３条第１項第２号の規定により取り消されるべきである旨主張している。
　
イ．各証拠の記載事項
　甲第１号証の記載事項は、上記「２．ウ．ｃ．ii)」の刊行物１と同じ内容が記載されている。
　また、甲第２号証には下記のとおりの記載がある。
甲第２号証：実願昭６１−１６９４０１号（実開昭６２−７５５４１号公報）のマイクロフィルム
　「同図において、固定メモリ（ＲＯＭ）２３に３数同一の（０００）〜（９９９）のデータ領域・・と装置の番号（ＤＡ）のデータ領域・・とを設け、さらに不揮発性メモリ（ＲＡＭ）２４にＰＯＳプログラムを指定するグループ番号・・のデータ領域・・を設け、ここにグループ番号スイッチ１７により設定した番号がデコーダ２５を介して書き込まれる。これらの各領域の内容をアドレスカウンタとしてリングカウンタを有するマルチプレクサ２２により、モードスイッチ１８をテストに設定した時に動作を開始し、・・循環切換えを行なわせ、表示用レジスタ２１に１領域ずつの内容を記憶させ、これを表示器１４に順次表示する。」（明細書７ページ１１行−８ページ４行）
ウ．判断
　上記甲第１号証及び甲第２号証には、本件発明１を特定する事項である「テストデータ作成部は一定時間毎に前記テストデータ記憶部の内容を書き換え、前記着色部は前記一定時間の間に複数の表示色データを変化させる」（以下、相違点１という）の記載がない。
　また、同証拠には、本件発明２を特定する事項である「前記テストデータ作成部がキー操作によって選択された前記表示パターンを規定する前記テストデータを作成し、前記着色部が前記キー操作のキーとは異なるキーの操作によって選択された表示色を規定する前記表示色データを作成」（以下、相違点２という）の記載がない。
　そして、本件発明１は上記相違点１の構成を有することにより、特許明細書に記載された「表示する数字と表示する色を連続的に変えながらＬＥＤ表示部全体の表示素子を点灯させて表示テストを行なうことができ、不良を効率的に発見することができる」という予測し得ない効果を奏するものであり、本件発明２は上記相違点２の構成を有することにより、特許明細書に記載された「キー操作によってテスト表示の色、点灯する場所、表示内容を自由に変えながら、表示部の１素子だけを点灯させるテストを行なうことができ、特定のＬＥＤ表示素子に関する素子の不良と配線の不良をきめ細かく検査することができる」という予測し得ない効果を奏するものである。
　したがって、本件発明１及び２が、上記甲第１号証及び甲第２号証の記載から容易に発明をすることができたものであるとはいえない。
　また、本件発明３乃至５は、上記本件発明１または２の構成を引用して、さらに限定した構成を含むものであるから、上記本件発明１または２について判断したとおりであり、上記甲第１号証及び甲第２号証の記載から容易に発明をすることができたものであるとはいえない。
　
エ．むすび
　
　以上のとおりであるから、特許異議の申立ての理由および、証拠によっては、本件請求項１乃至５に係る発明の特許を取り消すことはできない。　
　
　また、他に本件請求項１乃至５に係る発明の特許を取り消すべき理由を発見しない。
　
　よって結論のとおり決定する。　
【異議決定日】
平成１２年４月２６日（２０００．４．２６）
【訂正の要旨】
訂正の要旨
ａ．請求項１の「ＬＥＤ表示装置において」の記載を、特許請求の範囲の減縮を目的として「ＬＥＤ表示装置において、前記ＬＥＤの表示素子が複数のセグメントよりなり、各セグメントが異なる色を発光する複数のＬＥＤを有し」と訂正する。
ｂ．請求項１の「前記ＬＥＤ表示素子の各々で表示されるテストパターンの表示パターンを規定するデータを作成するテストデータ作成部と、前記表示パターンの表示色を規定するデータを作成する着色部とを備え、」の記載を、特許請求の範囲の減縮を目的として「複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、」と訂正する。
ｃ．請求項１の「前記テストデータ作成部が」の記載を、特許請求の範囲の減縮を目的として前記テストデータ作成部は一定時間毎に前記テストデータ記憶部の内容を書き換え、前記着色部は前記一定時間の間に複数の表示色データを変化させることにより、前記テストデータ作成部が１と訂正する。
ｄ．請求項１の「前記データに基づいてＬＥＤ表示素子の各々で表示されるテストパターンの表示パターンが変更され、前記着色部が作成する前記データに基づいて前記テストパターンの表示色が変更される」の記載を、明瞭でない記載の釈明を目的として「前記テストデータに基づいて前記ＬＥＤ表示素子で表示されるテストパターンの表示パターンが変更され、前記着色部が作成する前記表示色データに基づいて前記テストパターンの表示色が変更されることを特徴とするＬＥＤ表示装置。」と訂正する。
ｅ．請求項２を削除する。
ｆ．訂正前の請求項３を請求項２とし、訂正後の請求項２の記載「前記テストデータ作成部が、キー操作によって選択された表示パターンを規定する前記データを作成し、前記着色部が、キー操作によって選択された表示色を規定する前記データを作成することを特徴とする請求項１に記載のＬＥＤ表示装置。」を、特許請求の範囲の減縮を目的として「複数個のＬＥＤを選択的に発光させて数字、文字、図形等の表示パターンを複数の色で表示できるＬＥＤ表示素子をＬＥＤ表示部に多数個配列させたＬＥＤ表示装置において、
　前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部がキー操作によって選択された前記表示パターンを規定する前記テストデータを作成し、前記着色部が、前記キー操作のキーとは異なるキーの操作によって選択された表示色を規定する前記表示色データを作成し、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更されることを特徴とするＬＥＤ表示装置。」と訂正する。
ｇ．訂正前の請求項４を新たな請求項３とし、訂正後の請求項３の記載を、明瞭でない記載の釈明を目的として「前記テストデータ作成部が、ＬＥＤ表示部の１列のＬＥＤ表示素子だけに表示パターンが現れるように前記テストデータを作成することを特徴とする請求項１または２に記載のＬＥＤ表示装置。」と訂正する。
ｈ．訂正前の請求項５を新たな請求項４とし、訂正後の請求項４の記載を、明瞭でない記載の釈明を目的として「前記テストデータ作成部が、ＬＥＤ表示部の１個のＬＥＤ表示素子だけに表示パターンが現れるように前記テストデータを作成することを特徴とする請求項１または２に記載のＬＥＤ表示装置。」と訂正する。
ｉ．訂正前の請求項６を新たな請求項５とし、訂正後の請求項５の記載を、明瞭でない記載の釈明を目的として「ＬＥＤ表示部によって株価情報を表示することを特徴とする請求項１乃至４のいずれかに記載のＬＥＤ表示装置。」と訂正する。
ｊ．明細書【０００６】の「ＬＥＤ表示素子の各々で表示されるテストパターンの表示パターンを規定するデータを作成するテストデータ作成部と、この表示パターンの表示色を規定するデータを作成する着色部とを設け、テストデータ作成部が作成するデータに基づいてＬＥＤ表示素子の各々で表示されるテストパターンの表示パターンが変更され、着色部が作成するデータに基づいてこのテストパターンの表示色が変更されるように構成している。また、テストデータ作成部は、予め定められた時間間隔に従って表示パターンを変更するようにデータを作成し、着色部は、予め定められた時間間隔に従って表示色を変更するようにデータを作成する。また、テストデータ作成部は、キー操作によって選択された表示パターンを規定するデータを作成し、着色部は、キー操作によって選択された表示色を規定するデータを作成する。また、テストデータ作成部は、ＬＥＤ表示部の１列のＬＥＤ表示素子だけに表示パターンが現れるように、あるいは、ＬＥＤ表示部の１個のＬＥＤ表示素子だけに表示パターンが現れるように、データを作成する。」の記載を、明瞭でない記載の釈明を目的として「前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部は一定時間毎に前記テストデータ記憶部の内容を書き換え、前記着色部は前記一定時間の間に複数の表示色データを変化させることにより、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更される。
　また複数個のＬＥＤを選択的に発光させて数字、文字、図形等の表示パターンを複数の色で表示できるＬＥＤ表示素子をＬＥＤ表示部に多数個配列させたＬＥＤ表示装置において、
　前記ＬＥＤ表示素子が複数のセグメントより成り、各セグメントが異なる色を発光する複数のＬＥＤを有し、複数の前記ＬＥＤ表示素子よりなるＬＥＤ表示部を有する表示ブロックと、
　通常状態の表示のデータとテストデータとを切り替えて着色部に送る切換スイッチと、前記ＬＥＤ表示素子で表示されるテストパターンの表示パターンを規定するテストデータを作成するテストデータ作成部と、前記テストデータを記憶するテストデータ記憶部と、前記表示パターンの表示色を規定する表示色データを作成する前記着色部とを有するターミナルコントロールブロック（ＴＣブロック）で構成され、
　前記テストデータ作成部がキー操作によって選択された前記表示パターンを規定する前記テストデータを作成し、前記着色部が前記キー操作のキーとは異なるキーの操作によって選択された表示色を規定する前記表示色データを作成し、
　前記テストデータ作成部が作成する前記テストデータに基づいて前記ＬＥＤ表示素子で表示されるテストパターンの表示パターンが変更され、前記着色部が作成する前記表示色データに基づいて前記テストパターンの表示色が変更される。
　また前記テストデータ作成部が、ＬＥＤ表示部の１列のＬＥＤ表示素子だけに表示パターンが現れるように前記テストデータを作成する。
　また前記テストデータ作成部が、ＬＥＤ表示部の１個のＬＥＤ表示素子だけに表示パターンが現れるように前記テストデータを作成する。」と訂正する。
（５４）【発明の名称】
ＬＥＤ表示装置
（５７）【特許請求の範囲】
　【請求項１】複数個のＬＥＤを選択的に発光させて数字、文字、図形等の表示パターンを複数の色で表示できるＬＥＤ表示素子をＬＥＤ表示部に多数個配列させたＬＥＤ表示装置において、
前記ＬＥＤ表示素子が複数のセグメントより成り、各セグメントが異なる色を発光する複数のＬＥＤを有し、
表示ブロックの表示部を形成し、前記表示ブロックは表示データ送信部とデータ受信部とによりターミナルコントロールブロック（ＴＣブロック）と接続されており、前記ＴＣブロックは少なくとも、表示データとテストデータを切替えスイッチと、着色部とを有している
前記表示パターンの表示色を規定するデータを作成する前記着色部とを備え、前記テストデータ作成部が作成する前記データに基づいてＬＥＤ表示素子の各々で表示されるテストパターンの表示パターンが変更され、前記着色部が作成する前記データに基づいて前記テストパターンの表示色が変更されることを特徴とするＬＥＤ表示装置。
　【請求項２】前記テストデータ作成部が、予め定められた時間間隔に従って前記表示パターンを変更するように前記データを作成し、前記着色部が、予め定められた時間間隔に従って前記表示色を変更するように前記データを作成することを特徴とする請求項１に記載のＬＥＤ表示装置。
　【請求項３】前記テストデータ作成部が、キー操作によって選択された表示パターンを規定する前記データを作成し、前記着色部が、キー操作によって選択された表示色を規定する前記データを作成することを特徴とする請求項１に記載のＬＥＤ表示装置。
　【請求項４】前記テストデータ作成部が、ＬＥＤ表示部の１列のＬＥＤ表示素子だけに表示パターンが現れるように前記データを作成することを特徴とする請求項１乃至３に記載のＬＥＤ表示装置。
　【請求項５】前記テストデータ作成部が、ＬＥＤ表示部の１個のＬＥＤ表示素子だけに表示パターンが現れるように前記データを作成することを特徴とする請求項１乃至３に記載のＬＥＤ表示装置。
　【請求項６】ＬＥＤ表示部によって株価情報を表示することを特徴とする請求項１乃至５に記載のＬＥＤ表示装置。
【発明の詳細な説明】
　【０００１】
　【産業上の利用分野】本発明は、証券会社や銀行等に設置され、株価や利息等の数値情報を一覧表示するデータ表示装置等に使用するＬＥＤ表示装置に関する。
　【０００２】
　【従来の技術】従来の株価表示装置の表示面は、図７に示すように、銘柄を記した板を取り付ける銘柄板取付面３０と、株価を数字で表示するための第１表示欄３１、第２表示欄３２、第３表示欄３３、第４表示欄３４、第５表示欄３５とが設けられている。株価を表示する各表示欄３１〜３５は、８字形に配置した複数個のＬＥＤ（発光ダイオード）セグメントを選択的に発光させて数字を表示するＬＥＤ表示素子を多数個配列されたものであり、これらのＬＥＤ表示素子により所定桁数の数字を表示する。そして、このような株価表示装置は、中央処理装置からある銘柄の株価情報を受信すると、それを表示面上のその銘柄に該当する表示欄３１〜３５に表示する。
　【０００３】このような株価表示装置においては、各ＬＥＤ表示素子が正常に機能しているかどうかを調べるためのテストを行ない得るように構成されているが、従来の株価表示装置においては、すべてのＬＥＤ表示素子を点灯させながら目視により検査を行なっていた。
　【０００４】
　【発明が解決しようとする課題】しかしながら、このような従来の株価表示装置においては、ＬＥＤ表示素子を全部点灯させてテストを行なうため、目視能力によって異常を見逃したり、異常表示であるにもかかわらず異常表示と認識されないという問題点があった。
　【０００５】本発明はこのような従来のＬＥＤ表示装置が有する検査上の問題点を解決するために考えられたものであり、ＬＥＤ表示素子の不良や配線の不良および連続使用時に発生するそれらの不良を見落とすことなく効率的に発見することができ、また、細かく検査することができる優れたＬＥＤ表示装置を提供する。
　【０００６】
　【課題を解決するための手段】本発明は前記課題を解決するため、複数個のＬＥＤを選択的に発光させて数字、文字、図形等の表示パターンを複数の色で表示できるＬＥＤ表示素子をＬＥＤ表示部に多数個配列させたＬＥＤ表示装置において、ＬＥＤ表示素子の各々で表示されるテストパターンの表示パターンを規定するデータを作成するテストデータ作成部と、この表示パターンの表示色を規定するデータを作成する着色部とを設け、テストデータ作成部が作成するデータに基づいてＬＥＤ表示素子の各々で表示されるテストパターンの表示パターンが変更され、着色部が作成するデータに基づいてこのテストパターンの表示色が変更されるように構成している。また、テストデータ作成部は、予め定められた時間間隔に従って表示パターンを変更するようにデータを作成し、着色部は、予め定められた時間間隔に従って表示色を変更するようにデータを作成する。また、テストデータ作成部は、キー操作によって選択された表示パターンを規定するデータを作成し、着色部は、キー操作によって選択された表示色を規定するデータを作成する。また、テストデータ作成部は、ＬＥＤ表示部の１列のＬＥＤ表示素子だけに表示パターンが現れるように、あるいは、ＬＥＤ表示部の１個のＬＥＤ表示素子だけに表示パターンが現れるように、データを作成する。
　【０００７】
　【作用】したがって、本発明によれば、ＬＥＤ表示部全体のＬＥＤ表示素子に対して、表示する数字とその色とを連続的に変えながら表示テストを行うことができる。また、本発明によれば、表示部を部分的に、例えば、１列だけを点灯させることができる共に、点灯する列、表示の色および表示のパターンをキー操作によって自由に選択することができる。また、表示部の１列だけを点灯させるテストにおいて，テスト表示の色、点灯する列および表示する数字を連続的に順次変えることができる。また、表示部の１つの表示素子だけを点灯させて表示テストを行なうことができ、点灯させる場所、テスト表示の色および表示内容をキー操作によって自由に選択することができる。
　【０００８】
　【実施例】
（第１実施例）本発明のＬＥＤ表示装置の第１実施例を図１〜３を用いて説明する。
　【０００９】図１に示すように、相場報道システムの中央処理装置から送られてくる情報を受信・編集処理したりテストデータを作成するＴＣ（ターミナル・コントロール）ブロック１と、このＴＣブロック１で編集されたデータを表示する表示ブロック２で構成されている。
　【００１０】ＴＣブロック１には、相場報道システムの中央処理装置から送られてくるデータを受信し、編集処理を行なう受信編集処理部１１と、編集されたデータを蓄積するデータ記憶部１２と、切換スイッチ１３と、表示させるデータの１銘柄分ずつに表示すべき色に関するデータを付け加える着色部１８と、表示データを表示ブロック２に送る表示データ送信部１９とを備えている。
　【００１１】さらに、キー操作部１６と、このキー操作部１６からのキー入力を受け付けるキー入力受付処理部１７と、テストデータ作成部１４と、作成されたテストデータを記憶するテストデータ記憶部１５とを備えている。
　【００１２】キー入力受付処理部１７は、キー操作部１６からの入力に基づいて、テストデータ作成部１４にテストデータの作成開始または中止を指示し、切換スイッチ１３に対して株価データを送信するかテストデータを送信するかの切換指示を与え、着色部１８に対して表示すべき色に関するデータを与える。
　【００１３】表示ブロック２には、ＴＣブロック１から送られてきたデータを受信する表示データ受信部２１と、受信したデータのうちの表示データを記憶する表示データ記憶部２２と、受信したデータのうちの表示制御データを記憶する表示制御データ記憶部２３と、これらの各データ記憶部２２、２３に蓄えられたデータに基づいてＬＥＤ表示部２５の点灯を制御する表示制御部２４とを備えている。
　【００１４】図２に外観を示すように、１桁の数字を表示するＬＥＤ表示素子３の７つのセグメント６の中には、赤色ＬＥＤ４と緑色ＬＥＤ５が設けられている。赤色ＬＥＤ４のみを発光させると赤色表示となり、緑色ＬＥＤ５のみを発光させると緑色表示となり、両方のＬＥＤを発光させると燈色表示となる。
　【００１５】次に、この実施例の動作について説明する。相場報道システムの中央処理装置から送られてくる情報は、受信編集処理部１１において受信し、編集処理されて、株価データ記憶部１２に蓄積される。株価情報を表示する通常の状態においては、表示データ送信部１９は株価データ記憶部１２に蓄えられたデータの中から表示する銘柄に対するデータを１銘柄分づつ読み込み、そのデータをもとに着色部１８において表示色を決定し、読み込んだデータと表示色データとを表示ブロック２の表示データ受信部２１に送信する。
　【００１６】表示ブロック２の表示データ受信部２１において受信されたデータのうち、株価データは表示データ記憶部２２に、表示色データは表示制御データ記憶部２３にそれぞれ蓄積される。表示データ記憶部２２は、ＬＥＤ表示部２５の表示素子と１対１に対応した領域から構成されている。表示制御部２４は表示データ記憶部２２と表示制御データ記憶部２３に蓄積された各データに基づいてＬＥＤ表示部２５を指定された数字および表示色に点灯させる。
　【００１７】一方、テストパターン表示を要求するキー入力がキー操作部１６から行なわれると、キー入力受付処理部１７は、テストデータ作成部１４にテストパターンを作成する命令を出すとともに切換スイッチ１３を切り換える。テストデータ記憶部１５は、表示データ記憶部２２と同じ形をしている。
　【００１８】作成するテストパターンは、図３に示す順序で、すべての表示素子を「赤色の０」から「燈色の９」まで順次にそれぞれ一定時間づつ繰り返し表示させるものである。そこで、キー入力受付処理部１７からテストパターンを表示させる命令を受けると、テストデータ作成部１４は、このテストデータ記憶部１５のすべての領域にまず「０」をセットする。表示データ送信部１９は、テストデータ記憶部１５に蓄積されたテストデータを１銘柄分ずつ読み込み、着色部１８において赤色の表示を行なうように表示色データを付け加えて送信する。
　【００１９】表示ブロック２では、株価情報表示の通常状態と同様の処理が行なわれ、ＬＥＤ表示部２５のすべての表示素子が「赤色の０」を表示する。
　【００２０】テストデータ作成部１４は、一定時間毎にテストデータ記憶部１５の内容を書き換える。また、着色部１８は、一定時間毎にテストデータに付加する表示色データを変化させる。一例として、ここではテストデータ作成部１４における周期を３秒、着色部１８における周期を１秒として説明する。
　【００２１】テスト表示を開始した１秒後、着色部１８は、付加する表示色データを赤色から緑色に変える。すると表示部全面に「緑色の０」が表示されるようになる。その１秒後には着色部１８は、付加する表示色データを緑色から燈色に変えるので、表示部全面に「燈色の０」が表示される。
　【００２２】更にその１秒後には、テストデータ作成部１４がテストデータ記憶部１５のすべての領域に、セットした「０」を「１」にセットし直す。また、着色部１８は、付加する表示色データを燈色から赤色に変えるので、表示部全面に「赤色の１」が表示されるようになる。以下同様にして表示色と数字を変えてゆき、図３に示したようにボード全体の表示を連続的に変化させるテストパターンを発生する。
　【００２３】テスト終了を要求するキー入力が、キー操作部１６から行なわれるとキー入力受付処理部１７はテストデータ作成部１４にテストデータの作成を中止する命令を出し、テストデータの作成は行なわれなくなる。そして、切換スイッチ１３および着色部１８に対して株価データを送信するように命令が出され、表示データ送信部１９からは、通常どおり株価データの送信を行なう。
　【００２４】このように第１の実施例によれば、表示する数字と表示する色を連続的に順次変えながらＬＥＤ表示部全体のＬＥＤ表示素子に対する表示テストを行なうことができ、ＬＥＤ表示素子の不良と配線の不良および連続使用時に発生する不良を効率的に発見することができる。
　【００２５】（第２実施例）図４は、本発明の第２実施例におけるテストパターンの表示状態を示したものである。
　【００２６】第２実施例では、図１に示す構成において、テストパターン表示を要求するキー入力がキー操作部１６から行なわれると、キー入力受付処理部１７からテストデータ作成部１４にテストパターンを表示させる命令が出されると、テストデータ作成部１４は、テストデータ記憶部１５の表示部の左端のＬＥＤ表示素子に対応した領域に「０」を、それ以外の領域には「スペース」をセットする。また、テストデータ記憶部１５に蓄積されたテストデータを１銘柄分ずつ読み込み、着色部１８において赤色の表示を行なうように表示色データを付け加えて表示データ送信部１９より送信する。
　【００２７】表示ブロック２では、通常の株価表示を行なう場合と同様の処理が行なわれ、図４（ａ）に示すように、ＬＥＤ表示部２５の左端の列のみが「赤色の０」を表示する。
　【００２８】テストパターン表示中にキー操作部１６の「下矢印キー」が押されると、キー入力受付処理部１７は、着色部１８に表示色を順方向に変える命令を出す。すると、着色部１８は、付加する表示色データを赤色→緑色→燈色→赤色の順に一つ変化させる。逆に、「上矢印キー」が押されると、キー入力受付処理部１７は、表示データ送信部１９に表示色を逆方向に変える命令を出す。すると、着色部１８は、付加する表示色データを赤色→燈色→緑色→赤色の順に一つ変化させる。このようにキー操作部１６の「上矢印キー」または「下矢印キー」を押すことによりテストパターン表示の色を自由に変化させることができる。
　【００２９】また、テストパターン表示中にキー操作部１６の「右矢印キー」が押されると、キー入力受付処理部１７は、テストデータ作成部１４に対して表示位置を一つ右に移す命令を出す。すると、テストデータ作成部１４は、テストデータ記憶部１５の点灯している列のＬＥＤ表示素子に対応する領域に格納されていたデータを、その列の右隣りの列のＬＥＤ表示素子に対応する領域に移し、それまでデータが格納されていた領域には「スペース」を格納する。逆に、「左矢印キー」が押されると、キー入力受付処理部１７は、テストデータ作成部１４に表示位置を一つ左に移す命令を出す。すると、テストデータ作成部１４は、テストデータ記憶部１５の点灯している列のＬＥＤ表示素子に対応する領域に格納されていたデータを、その列の左隣りの列のＬＥＤ表示素子に対応する領域に移し、それまでデータが格納されていた領域には「スペース」を格納する。
　【００３０】このようにキー操作部１６の「右矢印キー」または「左矢印キー」を押すことにより、図４（ｂ）に示すように点灯する列を自由に移動させることができる。
　【００３１】また、テストパターン表示中にキー操作部１６の「数字キー」が押されると、キー入力受付処理部１７は、テストデータ作成部１４に対して表示する数字を押さえた数字に変える命令を出す。すると、テストデータ作成部１４は点灯している列のＬＥＤ表示素子に対応したテストデータ記憶部１５の領域のデータを押さえた数字に変える。このように、キー操作部１６の「数字キー」を押すことにより、図４（ｃ）に示すように点灯する列の表示を自由に変えることができる。　　　　　　　　　　　　　　　　　「
　【００３２】テスト終了を要求するキー入力がされた後の動作は第１実施例の場合と同様である。
　【００３３】このように第２実施例によれば、表示部の１列だけを点灯させるテストを行なうことができるので、隣接するＬＥＤ表示素子が点灯していることによって起こる不良の見落としを無くすことができ、また、　「右矢印キー」および「左矢印キー」を押して点灯する列を自由に移動させたり、「数字キー」を押して点灯する列の表示を自由に変えることによって、ＬＥＤ表示素子の不良と配線の不良を見落としなく効率的に発見することができる。
　【００３４】なお、第２実施例では縦１列のみの表示を行ない、横に移動させているが、横１列の表示を行ない、縦に移動させてもよい。
　【００３５】（第３実施例）図５は、本発明の第３実施例におけるテストパターンの表示状態を示したものである。
　【００３６】第３実施例では、図１の構成において、テストパターン表示を要求するキー入力がキー操作部１６において行なわれると、キー入力受付処理部１７は、テストデータ作成部１４にテストパターンを作成する命令を出すと、テストデータ作成部１４は、テストデータ記憶部１５のＬＥＤ表示部２５の左端のＬＥＤ表示素子１列に対応した領域に「０」を、それ以外の領域には「スペース」をセットする。また、命令を受けた着色部１８は，テストデータ記憶部１５に蓄積されたテストデータを１銘柄分ずつ読み込んで、赤色の表示を行なうように表示色データを付け加えて送信する。このときのＬＥＤ表示部２５には、図５（ａ）に示すように、左端の列のみに「赤色の０」が表示される。
　【００３７】キー入力受付処理部１７は、テストパターン表示中、一定時間毎に３つの命令を出す。１つ目は表示色を順方向に変える命令、２つ目は表示位置を一つ右に移す命令、３つ目は表示する数字を変化させる命令である。
　【００３８】着色部１８は、表示色を順方向に変える命令を受け取ると、付加する表示色データを赤色→緑色→燈色→赤色の順に一つ変化させる。また、テストデータ作成部１４は、表示位置を一つ右に移す命令を受け取ると、テストデータ記憶部１５の点灯している列の右隣りの列のＬＥＤ表示素子に対応した領域に、点灯している列に対応した領域に格納されているデータを移し、それまでデータが格納されていた領域には「スペース」を格納する。
　【００３９】また、テストデータ作成部１４は、表示する数字を変化させる命令を受け取ると、テストデータ記憶部１５の点灯している列のＬＥＤ表示素子に対応した領域のデータを０→１→２→３→４→５→６→７→８→９→０の順に一つ変化させる。
　【００４０】ここでは、一例として、表示色を順方向に変える命令が発生する周期を１秒、表示位置を一つ右に移す命令が発生する周期を３秒、表示する数字を変化させる命令が発生する周期を５４秒とする。まず、始めに表示部の１番左側の列のみが「赤色の０」の表示を行ない、その１秒後には表示色が緑色に変わる。さらにその１秒後には表示色が燈色に変わり、開始から３秒後には表示色が再び赤色に戻り、表示位置が右に一つずれる。
　【００４１】以下同様に表示色と表示位置を変えながら図５に示すように表示を行なって、表示部右端で燈色の表示を行なうようになると、その後は、表示位置が左端に戻り、表示する数値が０から１に変わり、同様の変化が繰り返される。
　【００４２】テスト終了を要求するキー入力がされた後の動作は、第１実施例の場合と同様である。
　【００４３】この第３実施例によれば、テスト表示の色、点灯する列、表示する数字を順次連続的に変えながら、表示部の１列だけを点灯させるテストを行なうことができ、ＬＥＤ表示素子の不良、配線の不良または連続使用時に発生するそれらの不良を見落とすことなく効率的に発見することができる。
　【００４４】なお、第３実施例では縦１列のみの表示を行ない、横に移動させているが、横１列のみの表示を行ない、縦に移動させてもよい。
　【００４５】（第４実施例）図６は、本発明の第４実施例におけるテストパターンの表示状態を示したものである。
　【００４６】第４実施例では、図１の構成において、テストパターン表示を要求するキー入力がキー操作部１６から行なわれると、キー入力受付処理部１７は、テストデータ作成部１４と着色部１８にテストパターンを表示させる命令を出し、命令を受けたテストデータ作成部５は、テストデータ記憶部１５の表示部の左上のＬＥＤ表示素子に対応した領域のみに「０」を、それ以外の領域にはすべて「スペース」をセットする。また、着色部１８は、テストデータ記憶部１５に蓄積されたテストデータを１銘柄分ずつ読み込んで赤色の表示を行なうように表示色データを付け加えて送信する。このとき、図６（ａ）に示すように、ＬＥＤ表示部２５に表示される。
　【００４７】テストパターン表示中「Ｒキー」が押されると、キー入力受付処理部１７は、着色部１８に表示色を赤色に変える命令を出す。すると、着色部１８は、付加する表示色データを赤色に変化させる。「Ｇキー」が押されると、キー入力受付処理部１７は、着色部１８に表示色を緑色に変える命令を出し、着色部１８は、付加する表示色データを緑色に変化させる。「Ａキー」が押されると、キー入力受付処理部１７は、着色部１８に表示色を燈色に変える命令を出し、着色部１８は、付加する表示色データを燈色に変化させる。このように、「Ｒキー」「Ｇキー」「Ａキー」を押すことによってテスト表示の色を自由に変化させることができる。
　【００４８】また、テストパターン表示中「右矢印キー」が押されると、キー入力受付処理部１７は、テストデータ作成部１４に表示位置を一つ右に移す命令を出す。すると、テストデータ作成部１４は、点灯しているＬＥＤ表示素子の右隣りの素子に対応したテストデータ記憶部１５の領域に、点灯しているＬＥＤ表示素子に対応した領域に格納されているデータを移し、データが格納されていたところには「スペース」を格納する。逆に、「左矢印キー」が押されると、キー入力受付処理部１７は、テストデータ作成部１４に表示位置を一つ左に移す命令を出し、テストデータ記憶部１５の該当する領域に向かって同じようなデータの移し換えが行なわれる。
　【００４９】さらに同様に「上矢印キー」または「下矢印キー」が押されると、キー入力受付処理部１７は、テストデータ作成部１４に表示位置を一つ上または下に移す命令を出し、テストデータ記憶部１５の該当する領域に向かってデータの移し変えが同じように行なわれる。このように「右矢印キー」「左矢印キー」「上矢印キー」または「下矢印キー」を押すことによって、図６（ｂ）に示すように、点灯する場所を自由に移動させることができる。
　【００５０】また、テストパターン表示中「数字キー」が押されると、キー入力受付処理部１７は、テストデータ作成部１４に対して表示する数字を押された数字に変える命令を出す。すると、テストデータ作成部１４は、点灯しているＬＥＤ表示素子に対応したテストデータ記憶部１５の領域のデータを押された数字に変える。このように「数字キー」を押すことによって、図６（ｃ）に示すように、点灯する表示素子の表示を自由に変えることができる。
　【００５１】テスト終了後の動作は、第１実施例の場合と同じである。
　【００５２】このように第４実施例によれば、表示部の１素子だけを点灯させるテストを行なうことができ、「Ｒキー」「Ｇキー」「Ａキー」を押すことによってテスト表示の色を自由に変化させたり、「右矢印キー」「左矢印キー」「上矢印キー」または「下矢印キー」を押すことによって点灯する場所を自由に移動させたり、また、「数字キー」を押すことによって表示内容を自由に変えたりすることによって、特定のＬＥＤ表示素子に関する素子の不良と配線の不良を細かく検査することができる。
　【００５３】なお、株価表示装置の構成や外観、データテーブルの構成や処理方法は前記実施例のもののみに限定されるものではなく、本発明の主旨を逸脱しない限り広範な変形を許されるものである。
　【００５４】また、前記実施例では株価表示装置を対象に本発明を説明したが、本発明はこれに限定されるものではなく、複数個のＬＥＤを選択的に発光させて数字、文字、図形等の表示内容を複数の色で表示できるＬＥＤ表示素子を多数個配列したＬＥＤ表示装置にも適用することができる。
　【００５５】さらに、テストのために表示するパターンとしては、数字、文字、図形等に限ることなく、ＬＥＤ表示素子中の単一のセグンメントを選択的に任意の色で発光させてもよいのである。
　【００５６】
　【発明の効果】前記実施例による説明から明らかなように、本発明によると、表示内容および表示する色を変化させながらＬＥＤ表示部の表示テストを行なうことができるので、ＬＥＤ表示素子のすべてを点灯させたまま検査を行なう従来の装置に比べて、ＬＥＤ表示素子の不良や配線の不良、また、連続使用時に発生するそれらの不良を目視により容易に発見することができるというという効果を奏する。
　【００５７】また、本発明によると、表示する数字と表示する色を連続的に変えながらＬＥＤ表示部全体の表示素子を点灯させて表示テストを行なうことができ、不良を効率的に発見することができる。さらに、テスト表示の色、点灯する列、表示する数字を順次変えながら、表示部の１列だけを点灯させるテストを行なうことができ、隣接するＬＥＤ表示素子が点灯していることに起因する不良の見落としを無くすことができる。
　【００５８】さらに、キー操作によってテスト表示の色、点灯する場所、表示内容を自由に変えながら、一表示部の１素子だけを点灯させるテストを行なうことができ、特定のＬＥＤ表示素子に関する素子の不良と配線の不良をきめ細かく検査することができるという効果を奏する。
【図面の簡単な説明】
　【図１】本発明の表示装置のブロック図、
　【図２】本発明の表示装置のＬＥＤ表示素子の外観図、
　【図３】第１実施例におけるテストパターン表示の順序を示す図、
　【図４】第２実施例のテストパターン表示の概要図、
　【図５】第３実施例のテストパターン表示の概要図、
　【図６】第４実施例のテストパターン表示の概要図、
　【図７】従来の株価表示装置の表示ユニットの外観図である。
　【符号の説明】
１　　ＴＣブロック
１１　受信編集処理部
１２　株価データ記憶部
１４　テストデータ作成部
１５　テストデータ記憶部
１３　切換スイッチ
１６　キー操作部
１７　キー入力受付処理部
１８　着色部
１９　表示データ送信部
２　　表示ブロック
２１　表示データ受信部
２２　表示データ記憶部
２３　表示制御データ記憶部
２４　表示制御部
２５　ＬＥＤ表示部